(57)【要約】【課題】第１ガイド板から引き出した第２ガイド板を下方に押し下げる際に、手前側及び奥側のどちらの方向に力が加わった状態で押し下げた場合でもスムーズな押し下げ動作を実現する。【解決手段】用紙を保持する複数のガイド板を備え、一つのガイド板である第１ガイド板５１に対して他の一つのガイド板である第２ガイド板７１がスライド移動可能に設けられ、第２ガイド板７１が第１ガイド板５１から引き出された状態で、第１ガイド板５１に形成された上側係止用凹部５８と第２ガイド板７１に形成された係止用突起部７５Ａとが係合するように構成された電子装置において、第２ガイド板７１の係止用突起部７５Ａを、第２ガイド板７１の下端縁７４から所定距離Ｔ３１だけ上方に離れた位置に設けられている。【選択図】図７Ａ
2011011860.tif 000002
【特許請求の範囲】
【請求項１】
用紙を保持する複数のガイド板を備え、一つのガイド板である第１ガイド板に対して他の一つのガイド板である第２ガイド板がスライド移動可能に設けられ、前記第２ガイド板が前記第１ガイド板から引き出された状態で、前記第１ガイド板に形成された係止部と前記第２ガイド板に形成された被係止部とが係合するように構成された電子装置において、
前記第２ガイド板の被係止部は、前記第２ガイド板の下端縁から所定距離だけ上方に離れた位置に設けられていることを特徴とする電子装置。
【請求項２】
請求項１に記載の電子装置において、
前記第２ガイド板の被係止部は、前記第２ガイド板を前記第１ガイド板から引き出した状態で、前記第２ガイド板と前記第１ガイド板とが重なり合う部分の高さ方向の中央部に設けられていることを特徴とする電子装置。
【請求項３】
請求項２に記載の電子装置において、
前記所定距離は、前記重なり合う部分の高さ方向（上下方向）の幅の１／２の幅に等しい距離であることを特徴とする電子装置。
【請求項４】
請求項１から請求項３までのいずれか１項に記載の電子装置において、
前記係止部と被係止部との係合が凹凸形状による係合であることを特徴とする電子装置。
【請求項５】
請求項４に記載の電子装置において、
前記凸形状の突出先端部の角部が傾斜部に形成されていることを特徴とする電子装置。
【請求項６】
請求項１から請求項５までのいずれか１項に記載の電子装置において、
前記第１ガイド板の左右両側縁部に高さ方向に沿ってスライド溝部が形成され、前記第２ガイド板の左右両側縁部に高さ方向に沿ってガイドレール部が形成され、前記スライド溝部に前記ガイドレール部が保持された状態で、前記第２ガイド板が前記第１ガイド板に対して上下方向にスライド移動可能に設けられていることを特徴とする電子装置。
【請求項７】
請求項６に記載の電子装置において、
前記係止部と前記被係止部とが係合している状態から前記第２ガイド板を前記第１ガイド板に沿って押し下げたとき、前記第２ガイド板が撓むことで前記係合が解除されることを特徴とする電子装置。
【請求項８】
請求項６または請求項７に記載の電子装置において、
前記第２ガイド板の被係止部は、当該第２ガイド板の幅方向の中央部に設けられていることを特徴とする電子装置。
【請求項９】
請求項８に記載の電子装置において、
前記被係止部は、幅方向に沿って２個所以上に設けられていることを特徴とする電子装置。
【発明の詳細な説明】
【技術分野】
【０００１】
本発明は、第１ガイド板に対して第２ガイド板がスライド移動可能に設けられ、第２ガイド板が第１ガイド板から引き出された状態で、第１ガイド板に形成された係止部と第２ガイド板に形成された被係止部とが係合するように構成された電子装置に係り、より詳細には、係止部と被係止部とのロック及びロック解除構造に関する。
【背景技術】
【０００２】
図２７は、第１ガイド板に対して第２ガイド板がスライド移動可能に設けられた従来の電子装置の給紙トレイの構成の一例を示している(例えば、特許文献１参照)。
【０００３】
この給紙トレイは、３枚の板状部材２０２，２０３，２０４からなっている。すなわち、板状部材２０２のスリット２０１に、板状部材２０３のレール２０８が係合しており、板状部材２０３が板状部材２０２上をスライドできるようになっている。また、板状部材２０３のスリット２０１に、板状部材２０４のレール２０８が係合しており、板状部材２０４が板状部材２０３上をスライドできるようになっている。そして、給紙トレイを使用していない場合は、板状部材２０３，２０４を図示しない給紙口側（図中左側）にスライドさせて板状部材２０２上に収納し、使用するときに、板状部材２０３，２０４をスライドさせて、それぞれのレール２０８がそれぞれのスリット２０１の端で止まるまで引き出すようになっている。
【０００４】
このような構造の給紙トレイにおいて、上記特許文献１記載のものでは、給紙トレイを水平に配置するため、各板状部材２０３，２０４を引き出した状態でロックする機構部は設けられていない。
【０００５】
一方、家庭用のファクシミリ装置のような小型の電子装置は、設置スペースの関係上、給紙トレイを立てた状態で配置している。そのため、上記特許文献１記載の構成の給紙トレイを縦置きした場合には、各板状部材２０３，２０４を引き出した状態でロックする機構部が必要となる。
【０００６】
このような小型のファクシミリ装置における従来のスライド機構及びロック機構構造について以下説明する。
【０００７】
図１ないし図３は、ロック機構部を有する小型ファクシミリ装置を正面側から見た外観図であり、図１は開閉蓋を閉じた未使用時の状態、図２は開閉蓋を開けた状態、図３は開けた開閉蓋からガイド板を引き出した使用状態を示している。
【０００８】
このファクシミリ装置は、図示しない画像読取部や画像形成部等を内蔵する装置筐体１０と、装置筐体１０の上面に設けられた操作パネル部２０及び開閉蓋３０とからなる。
【０００９】
操作パネル部２０は、装置筐体１０の上面手前側に配置されており、液晶パネル等からなる表示部２０ａと、テンキーや各種機能キー等からなる操作ボタン部２０ｂとを備えている。また、操作パネル部２０の下部側の装置筐体１０には、読み取った原稿を排出する原稿排出口１０３が設けられている。
【００１０】
一方、装置筐体１０の上面後部側には開口部１２が設けられており、この開口部１２には、原稿挿入口（図示省略）や、用紙挿入口１１２及び用紙排出口１１３が設けられている。また、この開口部１２には上記した開閉蓋３０が設けられており、この開閉蓋３０は、開口部１２の後端部両側が回動支点となって、手前側から奥側に向かって開閉するようになっている。
【００１１】
このような構造の開閉蓋３０には、その内面側（開放して起立させたときには手前側に向く面）に、第１ガイド板５１と第２ガイド板７１とが設けられている。
【００１２】
第１ガイド板５１は開閉蓋３０に対してスライド移動可能に設けられており、第２ガイド板７１は第１ガイド板５１に対してスライド移動可能に設けられている。すなわち、図２は、第１ガイド板５１及び第２ガイド板７１を開閉蓋３０の内面側に収まるように収納した状態で、開閉蓋３０を開いた状態を示しており、図３は、開いた状態の開閉蓋３０から第１ガイド板５１及び第２ガイド板７１を一杯まで上方に引き出した状態を示している。
【００１３】
上記構成において、ここでは第１ガイド板５１と第２ガイド板７１とに着目し、第１ガイド板５１に対して第２ガイド板７１をスライド移動させる構造について、図１８ないし図２３を参照して説明する。ただし、その他の構造については、後述する［発明を実施するための形態］のところで説明する。
【００１４】
図１８Ａは、第１ガイド板５１と第２ガイド板７２とを分解して示す斜視図、図１８Ｂは、図１８ＡのＱ１１部分の拡大図、図１９は、第２ガイド板７１を第１ガイド板５１に収納した状態を示す正面図、図２０は、第１ガイド板５１から第２ガイド板７１を一杯まで引き出した状態を示す正面図、図２１は、図２０のＨ−Ｈ線断面図、図２２は、図１９のＩ−Ｉ線断面図、図２３は、図２０のＪ−Ｊ線断面図である。
（１）第１ガイド板５１の説明
主に図１８Ａに示すように、第１ガイド板５１は、略方形状の板状部材であって、左右両側縁部には第１保持片５４が形成されている。そして、この第１保持片５４の基端部（中央寄りの端部）から裏面側に向かって起立片５３が形成されており、この起立片５３の外面側の中央部に、第１保持片５４と平行にガイドレール片５２が形成されている。これらガイドレール片５２及び第１保持片５４は、開閉蓋３０に対してスライド移動可能に装着するためのスライド機構部を構成する部材であるが、その詳細は後述する［発明を実施するための形態］のところで説明することとし、ここでは説明を省略する。
【００１５】
また、起立片５３の内側面には、第１ガイド板５１の中央部に向かって略水平に延設された第２保持片５５が形成されており、この第１保持片５５の上端部（上下方向Ｙの上端部）は、第１ガイド板５１の中央部に向かってさらに延設された突起片５６となっている。この突起片５６は、後述する第２ガイド板７１を一杯まで引き出したときの当たり止め片となっている。
【００１６】
さらに、第１ガイド板５１の内面上部には、起立片５３，５３からさらに所定距離だけ内側の位置に、後述する第２ガイド板７１を第１ガイド板５１から一杯まで引き出したとき、当該第２ガイド板７１を係止するための上側係止用凹部５８，５８が所定の間隔を存して幅方向に一対設けられている。また、第１ガイド板５１の内面下部には、起立片５３，５３からさらに所定距離だけ内側の位置に、後述する第２ガイド板７１を第１ガイド板５１に対して一杯まで押し込んだとき、当該第２ガイド板７１を係止するための下側係止用凹部５９，５９が所定の間隔を存して幅方向に一対設けられている。
（２）第２ガイド板７１の説明
主に図１８Ａ及び図１８Ｂに示すように、第２ガイド板７１は、略方形状の板状部材であって、左右両側縁部には、上下方向Ｙに沿って延設されたガイドレール部７２，７２がそれぞれ設けられている。このガイドレール部７２は、第１ガイド板５１の左右両側に配置された起立片５３と第２保持片５５とで形成される鉤型形状のスライド溝部５７（図２１を併せて参照）に挿通される形で、このスライド溝部５７内を上下方向Ｙにスライド移動可能に設けられている。
【００１７】
また、ガイドレール部７２の裏面側下部には、図１８Ｂの拡大図に示すように、上方に向かって楔型に広がった形状の第２当接片７３が形成されている。この第２当接片７３は、第２ガイド板７１を第１ガイド板５１から一杯まで引き出したとき、第１ガイド板５１の第２保持片５５に形成された突起片５６にこの第２当接片７３が当接することで、第２ガイド板７１が第１ガイド板５１から抜けないように規制する規制部材となっている。
【００１８】
また、第２ガイド板７１の正面側（図１８Ａでは裏面側）の下端縁７４には、ガイドレール部７２，７２からさらに所定距離だけ内側の位置に、係止用突起部７５，７５が所定の間隔を存して幅方向に一対設けられている。この係止用突起部７５は、第２ガイド板７１を第１ガイド板５１から一杯まで引き出したとき（図２３参照）、第１ガイド板５１の上側係止用凹部５８と係合し、第２ガイド板７１を第１ガイド板５１に対して一杯まで押し込んだとき（図２２参照）、第１ガイド板５１の下側係止用凹部５９に係合するようになっている。
【００１９】
上記構成において、第１ガイド板５１と第２ガイド板７１とは、図２１に示すように、第２ガイド板７１のガイドレール部７２が第１ガイド板５１のスライド溝部５７に挿通されているため、このスライド溝部５７で左右両端部が支持されたほぼ密着状態で配置されている。そのため、第２ガイド板７１の係止用突起部７５が第１ガイド板５１の裏面に当接しているとき（すなわち、上側係止用凹部５８や下側係止用凹部５９と係合していないとき）は、この両スライド溝部５７，５７部分を両支持部ｂ１１，ｂ１１として第２ガイド板７１が若干撓み（弾性変形）、この若干の撓みによって、第１ガイド板５１の裏面に常に当接（若干の圧力を持って当接）された状態で接触することになる。従って、係止用突起部７５と上側係止用凹部５８または下側係止用凹部５９との位置が合致すると、第２ガイド板７１の弾性復元力によって係止用突起部７５が上側係止用凹部５８または下側係止用凹部５９に嵌まり込むことになる。
【００２０】
従来の第１ガイド板５１及び第２ガイド板７１は上記のような構造となっているので、第２ガイド板７１を第１ガイド板５１から一杯まで引き出したとき、図２０及び図２３に示すように、第２ガイド板７１の係止用突起部７５が第１ガイド板５１の上側係止用凹部５８に嵌まり込んで係合されるとともに、第１ガイド板５１の突起片５６に第２ガイド板７１の第２当接片７３が当接することで、第２ガイド板７１が第１ガイド板５１から抜けないように規制されるようになっている。つまり、突起片５６と第２当接片７３との当接位置を規定することで、第２ガイド板７１を第１ガイド板５１から一杯まで引き出したときの、第１ガイド板５１と第２ガイド板７１とが重なり合う部分の高さ方向（上下方向）の幅Ｗ１（図２０及び図２３参照）を決定することができる。この重なり合う部分の幅Ｗ１は、第２ガイド板７１を一杯まで引き出したとき、第２ガイド板７１を安定的に保持し得る程度の幅（若しくは、使用するユーザにとってがたつきが気にならない程度の幅）に設定されている。
【００２１】
一方、第２ガイド板７１を第１ガイド板５１に対して一杯まで押し込んだとき、図１９及び図２２に示すように、第２ガイド板７１の係止用突起部７５が第１ガイド板５１の下側係止用凹部５９に嵌まり込んで係合されるようになっている。
【先行技術文献】
【特許文献】
【００２２】
【特許文献１】特開平６−２２７６７９号公報
【発明の概要】
【発明が解決しようとする課題】
【００２３】
上記構成のファクシミリ装置において、第１ガイド板５１から一杯まで引き出した第２ガイド板７１を、第１ガイド板５１に収納するために上方から下方に押し下げる際、図２４に矢符Ｐ１で示すように、第２ガイド板７１を若干手前側（図中左側）に引くようにして下方に押した場合には、第１ガイド板５１の上端縁６５が支点ａ１１となって、第２ガイド板７１が手前側に若干傾斜することになる。このとき、図２６に示すように、第１ガイド板５１の左右両側のスライド溝部５７，５７にそれぞれ保持された第２ガイド板７１の左右両側のガイドレール部７２，７２の部分が支持部ｂ１１となって、第２ガイド板７１が若干撓んだ状態（湾曲した状態）となる。その結果、このような第２ガイド板７１の傾斜（図２４）と撓み（図２６）との相互作用により、支点ａ１１より下側の第２ガイド板７１は、第１ガイド板５１の裏面から若干離れるように移動し、第２ガイド板７１の係止用突起部７５Ａが第１ガイド板５１の上側係止用凹部５８から抜け出て係合が解除されることになる。これにより、引き続いて第２ガイド板７１を押し下げると、第２ガイド板７１は、第１ガイド板５１に対してスムーズに下方にスライド移動することになる。
【００２４】
一方、図２５に矢符Ｐ２で示すように、第２ガイド板７１を若干奥側（図中右側）に押すようにして下方に押した場合には、第２ガイド板７１の下端縁７４が支点ａ２１となって第２ガイド板７１が若干撓んだ状態で奥側に若干傾斜することになる。すなわち、この場合には、上側係止用凹部５８と係止用突起部７５との係合位置が第２ガイド板７１の回動支点ａ２１となるため、第２ガイド板７１をいくら下方に押しても、上側係止用凹部５８と係止用突起部７５との係合が解除されることはない。また、ロック時の保持力を高めるため、係止用突起部７５は横長の直方体形状となっていることも係合が容易に解除されない一因となっている。つまり、第２ガイド板７１を若干奥側に押すようにして下方に押した場合には、いくら押しても第２ガイド板７１を下方にスライド移動させることができないといった問題があった。
【００２５】
このように、従来のファクシミリ装置における第１ガイド板と第２ガイド板とのスライド機構及びロック機構構造では、引き出した第２ガイド板７１を下方に押し下げる際、その押し下げ方向（上記Ｐ１またはＰ２）によって第２ガイド板７１がスムーズにスライドしたり、しなかったりするため、ユーザにとっては押し下げ方向を常に意識して操作しなければならず、操作性の妨げとなっていた。また、無理に押し下げた場合には、ガイドレール部７２やスライド溝部５７に負荷がかかり、破損等を招く恐れもあった。
【００２６】
本発明はかかる問題点を解決すべく創案されたもので、その目的は、上記従来のスライド機構及びロック機構構造に若干の工夫を加えることにより、引き出した第２ガイド板を下方に押し下げる際に、手前側及び奥側のどちらの方向に力が加わってもスムーズに押し下げることのできる電子装置を提供することにある。
【課題を解決するための手段】
【００２７】
上記課題を解決するため、本発明の電子装置は、用紙を保持する複数のガイド板を備え、一つのガイド板である第１ガイド板に対して他の一つのガイド板である第２ガイド板がスライド移動可能に設けられ、前記第２ガイド板が前記第１ガイド板から引き出された状態で、前記第１ガイド板に形成された係止部と前記第２ガイド板に形成された被係止部とが係合するように構成された電子装置において、前記第２ガイド板の被係止部は、前記第２ガイド板の下端縁から所定距離だけ上方に離れた位置に設けられていることを特徴としている。
【００２８】
より具体的には、前記第２ガイド板の被係止部は、前記第２ガイド板を前記第１ガイド板から引き出した状態で、前記第２ガイド板と前記第１ガイド板とが重なり合う部分の高さ方向（上下方向）の中央部に設けられている。一例として、前記所定距離は、重なり合う部分の高さ方向（上下方向）の幅の１／２の幅に等しい距離に設定されている。
【００２９】
このように、被係止部を第２ガイド板と第１ガイド板とが重なり合う部分の高さ方向（上下方向）の中央部に設けることで、一杯まで引き出した第２ガイド板を第１ガイド板に収納するために下方に押し下げる際、図１４（ｂ），（ｃ）に矢符Ｐ１で示すように、第２ガイド板７１を若干手前側（図中左側）に引くようにして下方に押した場合には、第１ガイド板５１の上端縁６５が支点ａ１となって、第２ガイド板７１が手前側に若干傾斜することになる。その結果、この支点ａ１より下側の第２ガイド板７１は、第１ガイド板５１の裏面から若干離れるように移動するため、支点ａ１から例えばＷ１／２の距離にある第２ガイド板７１の係止用突起部７５Ａが、第１ガイド板５１の上側係止用凹部５８から抜け出て係合が解除されることになる。これにより、引き続いて第２ガイド板７１を押し下げると、第２ガイド板７１は、第１ガイド板５１に対してスムーズに下方にスライド移動することになる。
【００３０】
一方、一杯まで引き出した第２ガイド板を第１ガイド板に収納するために下方に押し下げる際、図１５（ｂ），（ｃ）に矢符Ｐ２で示すように、第２ガイド板７１を若干奥側（図中右側）に押すようにして下方に押した場合には、第２ガイド板７１の下端縁７４が支点ａ２となって第２ガイド板７１が奥側に若干傾斜することになる。すなわち、この支点ａ２より上側の第２ガイド板７１は、第１ガイド板５１の裏面から若干離れるように移動するため、支点ａ２から例えばＷ１／２（＝Ｔ３１）の距離にある第２ガイド板７１の係止用突起部７５Ａが第１ガイド板５１の上側係止用凹部５８から抜け出て係合が解除されることになる。これにより、引き続いて第２ガイド板７１を押し下げると、第２ガイド板７１は、第１ガイド板５１に対してスムーズに下方にスライド移動することになる。
【００３１】
すなわち、本発明のスライド機構及びロック機構構造によれば、一杯まで引き出した第２ガイド板を第１ガイド板に収納するために下方に押し下げる際、第２ガイド板を手前側及び奥側のどちらの方向に押すようにして下方に押し下げた場合でも、第２ガイド板をスムーズに押し下げることが可能となる。
【００３２】
また、本発明によれば、前記係止部と被係止部との係合は、凹凸形状による係合としている。すなわち、係止部が凹形状である場合には被係止部は凸形状であり、係止部が凸形状である場合には被係止部は凹形状である。このように、本発明によれば、係止部と被係止部とを、凹凸いずれの形状とすることも可能である。これに対し、上記従来のロック機構構造では、第２ガイド板の被係止部である係止用突起部が第２ガイド板の下縁部に形成されているため、この被係止部を凹部として形成することはできない。
【００３３】
また、本発明によれば、係止部または被係止部の凸形状は、その突出先端部の角部がＲ面またはＣ面等の傾斜部に形成されていても良い。このように傾斜面に形成しておくことで、ロックを解除するとき、係止部または被係止部である凸部の突出先端部が凹部から抜けるときに抜け易くなり、その分、第２ガイド板の押し下げがスムーズに行われることになる。
【００３４】
また、本発明によれば、前記第１ガイド板の左右両側縁部に高さ方向に沿ってスライド溝部が形成され、前記第２ガイド板の左右両側縁部に高さ方向に沿ってガイドレール部が形成され、前記スライド溝部に前記ガイドレール部が保持された状態で、前記第２ガイド板が前記第１ガイド板に対して上下方向にスライド移動可能に設けられた構成となっている。
【００３５】
そして、このような構成において、本発明では、前記係止部と前記被係止部とが係合している状態から前記第２ガイド板を前記第１ガイド板に沿って押し下げたとき、前記第２ガイド板が、スライド溝部に保持されたガイドレール部が支持部となって若干撓む（湾曲状に変形する）ことで前記係合が解除されるようになっている。すなわち、第２ガイド板７１を下方に押した場合、第２ガイド板の傾斜に加え、第２ガイド板が撓むことで、前記係合がより確実に解除されるものである。
【００３６】
そのため、本発明では、前記第２ガイド板の撓みを考慮し、被係止部を第２ガイド板の幅方向の中央部に設けている。すなわち、被係止部をガイドレール部から離して設けることで、第２ガイド板の撓みが若干であっても、係止部と被係止部との係合を解除することが可能となる。また、本発明では、このような被係止部は、幅方向に沿って２個所以上に設けられている。２個所以上に設けることで、係合時の第２ガイド板のがたつきを防止することができる。
【発明の効果】
【００３７】
本発明は上記のように構成したので、一杯まで引き出した第２ガイド板を第１ガイド板に収納するために下方に押し下げる際、第２ガイド板を手前側及び奥側のどちらの方向に押すようにして下方に押し下げた場合でも、第２ガイド板をスムーズに押し下げることができる。そのため、ユーザは、ガイド板を収納する際に、操作する向きを気にすることなく、操作することができる。
【図面の簡単な説明】
【００３８】
【図１】ロック機構部を有する小型ファクシミリ装置を正面側から見た外観図であり、開閉蓋を閉じた未使用時の状態を示している。
【図２】ロック機構部を有する小型ファクシミリ装置を正面側から見た外観図であり、開閉蓋を開けた状態を示している。
【図３】ロック機構部を有する小型ファクシミリ装置を正面側から見た外観図であり、開けた開閉蓋からガイド板を引き出した状態を示している。
【図４】実施形態に係るファクシミリ装置において開閉蓋を閉じた状態の概略断面図である。
【図５】実施形態に係るファクシミリ装置において開閉蓋を開いた状態の概略断面図である。
【図６Ａ】開閉蓋と第１ガイド板と第２ガイド板とを正面側から見て分解した斜視図である。
【図６Ｂ】図６ＡのＱ１部分の拡大図である。
【図７Ａ】第１ガイド板と第２ガイド板とを裏面側から見て分解した斜視図である。
【図７Ｂ】図７ＡのＱ２部分の拡大図である。
【図８】開閉蓋の内面に第２ガイド板と第１ガイド板を収納した状態を示す正面図である。
【図９】開閉蓋から第１ガイド板と第２ガイド板とを一杯まで引き出した状態を示す正面図である。
【図１０】第１ガイド板から第２ガイド板を一杯まで引き出した状態を示す裏面図である。
【図１１Ａ】図８のＤ−Ｄ線断面図である。
【図１１Ｂ】図１１ＡのＱ３部分の拡大図である。
【図１２Ａ】図８のＥ−Ｅ線断面図である。
【図１２Ｂ】図１２ＡのＱ４部分の拡大図である。
【図１２Ｃ】図８のＦ−Ｆ線断面図である。
【図１３Ａ】図９のＧ−Ｇ線断面図である。
【図１３Ｂ】図１３ＡのＱ５部分の拡大図である。
【図１３Ｃ】図１３ＡのＱ６部分の拡大図である。
【図１４】（ａ）〜（ｅ）は、第２ガイド板を押し下げる際に該第２ガイド板を若干手前側に引くようにして押し下げた場合の動作過程を示す説明図である。
【図１５】（ａ）〜（ｅ）は、第２ガイド板を押し下げる際に該第２ガイド板を若干奥側に押すようにして押し下げた場合の動作の過程を示す説明図である。
【図１６】押し下げ時に第２ガイド板が撓む様子を示す説明図（断面図）である。
【図１７】係止用突起部の他の実施例を示す一部拡大断面図である。
【図１８Ａ】従来のファクシミリ装置において、第１ガイド板と第２ガイド板とを分解して示す斜視図である。
【図１８Ｂ】従来のファクシミリ装置において、図１８ＡのＱ１１部分の拡大図である。
【図１９】従来のファクシミリ装置において、第２ガイド板を第１ガイド板に収納した状態を示す正面図である。
【図２０】従来のファクシミリ装置において、第１ガイド板から第２ガイド板を一杯まで引き出した状態を示す正面図である。
【図２１】図２０のＨ−Ｈ線断面図である。
【図２２】図１９のＩ−Ｉ線断面図である。
【図２３】図２０のＪ−Ｊ線断面図である。
【図２４】第２ガイド板を押し下げる際に該第２ガイド板を若干手前側に引くようにして押し下げた場合の動作を示す説明図である。
【図２５】第２ガイド板を押し下げる際に該第２ガイド板を若干奥側に押すようにして押し下げた場合の動作を示す説明図である。
【図２６】第２ガイド板を押し下げた場合に、第２ガイド板が撓む様子を示す説明図（断面図）である。
【図２７】第１ガイド板に対して第２ガイド板がスライド移動可能に設けられた特許文献１に係る給紙トレイの構成を示す説明図である。
【発明を実施するための形態】
【００３９】
以下、本発明の実施の形態について、図面を参照して説明する。なお、以下の実施形態は、本発明を具体化した一例であって、本発明の技術的範囲を限定する性格のものではない。
【００４０】
本実施形態では、本発明の電子装置を小型のファクシミリ装置に適用した場合について説明する。
【００４１】
本実施形態のファクシミリ装置の外観は、図１ないし図３に示した通りであり、第１スライド板５１や第２スライド板７１の構成も、上記従来技術のところて説明した構成とほとんどの部分が同じ構成となっている。従って、以下の説明においては、これら従来の構成部材と同じ部材及び同じ部分には同符号を付して、本実施形態のファクシミリ装置の説明を行うこととする。
【００４２】
＜ファクシミリ装置の全体構成の説明＞
図４及び図５は、図１ないし図３に示す外観構成の本実施形態に係るファクシミリ装置の概略断面図であり、図４は開閉蓋３０を閉じた状態、図５は開閉蓋３０を開いた状態を示している。
【００４３】
このファクシミリ装置は、装置筐体１０と、装置筐体１０の上面に設けられた操作パネル部２０及び開閉蓋３０とを備えている。
【００４４】
装置筐体１０は、原稿の画像を読み取る画像読取部１００、画像読取部１００に原稿を搬送する原稿搬送路１０１、用紙に画像を形成する画像形成部１１０、及び、画像形成部１１０を経由して用紙を搬送する用紙搬送路１１１を内蔵している。
【００４５】
装置筐体１０は、上面後部側に開口部１２が設けられており、この開口部１２を塞ぐように開閉蓋３０が取り付けられている。開閉蓋３０は、開口部１２を閉じる閉鎖位置（図４参照）と、開口部１２を開放する開放位置（図５参照）との間で、回動軸３９を中心に開閉自在となっている。回動軸３９は、開口部１２の後部側（図において右端側）に配置されている。蓋部材３０の詳細については後述する。
【００４６】
原稿搬送路１０１は、開口部１２内の前部側に開口する原稿挿入口１０２と、装置筐体１０の前面部に開口する原稿排出口１０３とを備えている。原稿搬送路１０１の中途には、原稿搬送ローラ１０４及び分離ゴム板１０５が配置されている。原稿搬送ローラ１０４と分離ゴム板１０５とは、互いに対向するように配置されている。原稿挿入口１０２から挿入された原稿は、原稿搬送ローラ１０４と分離ゴム板１０５との間で１枚ずつに分離され、最も下側の１枚の原稿のみが原稿排出口１０３に向けて搬送される。
【００４７】
原稿搬送ローラ１０４の下流側には、画像読取部１００を構成するイメージセンサ１０６及び背面ローラ１０７が配置されている。イメージセンサ１０６と背面ローラ１０７とは互いに対向するように配置されている。
【００４８】
原稿挿入口１０２から挿入された原稿は、原稿搬送ローラ１０４によってイメージセンサ１０６と背面ローラ１０７との間に送り込まれる。送り込まれた原稿は、背面ローラ１０７によって背面からイメージセンサ１０６に押え付けられながら搬送されることで、イメージセンサ１０６によって画像が読み取られる。画像を読み取られた原稿は、背面ローラ１０７によって原稿排出口１０３から装置筐体１０の外部に排出される。
【００４９】
一方、用紙搬送路１１１は、略Ｕ字形に形成されており、開口部１２内の後部側に用紙挿入口１１２が配置され、開口部１２内のほぼ中央部に用紙排出口１１３が配置されている。
【００５０】
用紙挿入口１１２近傍の用紙搬送路１１１には、分離パッド１１４と給紙ローラ１１５とが互いに対向するように配置されている。
【００５１】
図５に示すように、用紙は、積層された状態で用紙挿入口１１２に挿入され、先端が分離パッド１１４に突き当たった状態で収容される。そして、給紙ローラ１１５が回転すると、給紙ローラ１１５と分離パッド１１４とによって、給紙ローラ１１５に最も近い１枚の用紙のみが用紙排出口１１３に向けて用紙搬送路１１１内を搬送される。
【００５２】
給紙ローラ１１５の下流側には、画像形成部１１０を構成するプラテンローラ１１６とサーマルヘッド１１７とが、互いに対向するように配置されている。また、プラテンローラ１１６とサーマルヘッド１１７との間には、インクフィルム１１８が配置されている。インクフィルム１１８は、インクフィルム１１８を供給する供給ローラ１２１と巻き取りローラ１２２とにより、用紙の搬送速度に合わせて用紙の搬送方向と同方向に送られる。
【００５３】
プラテンローラ１１６の下流側には、用紙排出ローラ１１９が配置されている。用紙排出ローラ１１９は、用紙排出口１１３から用紙を上方に排出する。
【００５４】
用紙挿入口１１２から挿入された用紙は、プラテンローラ１１６とインクフィルム１１８との間に送り込まれ、サーマルヘッド１１７によってインクフィルム１１８のインクが画像情報に基づいて熱転写され、これによって用紙上に画像が形成される。画像が形成された用紙は、下流側の用紙排出ローラ１１９によって用紙排出口１１３から排出される。
【００５５】
開閉蓋３０は、画像読取動作や画像形成動作などを行うファクシミリ装置の使用時には、図５に示すように開放位置に配置され、画像読取動作や画像形成動作などを行わない不使用時には、図４に示すように閉鎖位置に配置される。
【００５６】
＜本発明に係わるスライド機構及びロック機構構造の説明＞
上記構成の開閉蓋３０には、その内面側（開放して起立させたときには手前側に向く面）に、第１ガイド板５１と第２ガイド板７１とが設けられている。第１ガイド板５１は開閉蓋３０に対してスライド移動可能に設けられており、第２ガイド板７１は第１ガイド板５１に対してスライド移動可能に設けられている。
【００５７】
図６Ａは、開閉蓋３０と第１ガイド板５１と第２ガイド板７１とを分解して示す斜視図、図６Ｂは、図６ＡのＱ１部分の拡大図、図７Ａは、第１ガイド板５１と第２ガイド板７１とを分解して示す斜視図である。ただし、図７Ａは、図６Ａとは反対側の裏面側から見た分解斜視図である。また、図７Ｂは、図７ＡのＱ２部分の拡大図、図８は、開閉蓋３０の内面に第２ガイド板７１と第１ガイド板５１を収納した状態を示す正面図、図９は、開閉蓋３０から第１ガイド板５１と第２ガイド板７１とを一杯まで引き出した状態を示す正面図、図１０は、第１ガイド板５１から第２ガイド板７１を一杯まで引き出した状態を示す背面図、図１１Ａは、図８のＤ−Ｄ線断面図、図１１Ｂは、図１１ＡのＱ３部分の拡大図、図１２Ａは、図８のＥ−Ｅ線断面図、図１２Ｂは、図１２ＡのＱ４部分の拡大図、図１２Ｃは、図８のＦ−Ｆ線断面図、図１３Ａは、図９のＧ−Ｇ線断面図、図１３Ｂは、図１３ＡのＱ５部分の拡大図、図１３Ｃは、図１３ＡのＱ６部分の拡大図である。
【００５８】
（１）開閉蓋３０の説明
主に図６Ａ及び図７Ａに示すように、開閉蓋３０の内面には、幅方向Ｘの両端部から所定距離Ｔ１１だけ内側（内面中央部）寄りであって、第１ガイド板５１の横幅Ｗ１２に略等しい距離Ｔ１２を存して一対のガイド溝部３１，３１が設けられている。このガイド溝部３１，３１は、開閉蓋３０の上下方向Ｙに沿って平行に配置されたレール状の溝部となっており、図１１Ａ及び図１１Ｂに示すように、開閉蓋３０の内面から垂直に立ち上がった支持片３２と、この支持片３２の上端部から開閉蓋３０の中央部に向かって略水平に延設されたレール保持片３３とからなっている。
【００５９】
また、レール保持片３３の上端部（上下方向Ｙの上端部）は開閉蓋３０の中央部に向かってさらに延設した突起片３４となっている。この突起片３４は、後述する第１ガイド板５１を開閉蓋３０から一杯まで引き出したときの当たり止め片となっている。
【００６０】
また、開閉蓋３０の内面下部には、各ガイド溝部３１，３１からさらに所定距離Ｔ１３だけ内側の位置に、後述する第１ガイド板５１を開閉蓋３０の内面に収まる一杯まで押し込んだとき、当該第１ガイド板５１を係止するための係止用凹部３５，３５が一定距離Ｔ１４を存して幅方向に一対設けられている。また、開閉蓋３０の内面上部には、ガイド溝部３１，３１から同じく所定距離Ｔ１３だけ内側の位置に、後述する第１ガイド板５１を開閉蓋３０の内面から一杯まで引き出したとき、当該第１ガイド板５１を係止するための係止用凸部３６，３６が同じく一定距離Ｔ１４を存して幅方向に一対設けられている。すなわち、これら係止用凹部３５と係止用凸部３６とは、上下方向Ｙにおいて同じ位置に形成されている。
【００６１】
（２）第１ガイド板５１の説明
主に図６Ａ及び図７Ａに示すように、第１ガイド板５１は、略方形状の板状部材であって、その左右両側縁部には、開閉蓋３０に形成されたガイド溝部３１のレール保持片３３を外側から保持する第１保持片５４，５４がそれぞれ形成されている。そして、図１１Ｂの拡大断面図に示すように、この第１保持片５４の基端部（中央寄りの端部）から裏面側（すなわち、開閉蓋３０の内面側）に向かって起立片５３が形成されており、この起立片５３の外面側の中央部に、前記第１保持片５４と平行にガイドレール片５２が形成されている。このガイドレール片５２は、開閉蓋３０の内面とガイド溝部３１のレール保持片３３との間に保持される形で、各ガイド溝部３１，３１にそれぞれスライド移動可能に挿通されている。また、このガイドレール片５２と第１保持片５４とによって、開閉蓋３０に設けられたガイド溝部３１のレール保持片３３を両側から保持する形となっている。なお、図６Ａに示すように、第１保持片５４の下部側は切欠かれた状態となっており、正面側から見るとガイドレール片５２が露出している。
【００６２】
また、ガイドレール片５２の下部には、第１保持片５４から露出している部分に、上方に向かって楔型に広がった形状の第１当接片６１が形成されている。この第１当接片６１は、図９に示すように、第１ガイド板５１を一杯まで引き出したとき、開閉蓋３０のレール保持片３３の上端部に形成された突起片３４に当接することで、第１ガイド板５１が開閉蓋３０から抜けないように規制する規制部材となっている。
【００６３】
一方、図７Ａに示すように、起立片５３の内側面には、第１ガイド板５１の中央部に向かって略水平に延設された第２保持片５５が形成されており、この第１保持片５５の上端部（図７Ａに示す上下方向Ｙの上端部）には、第１ガイド板５１の中央部に向かってさらに延設された突起片５６が形成されている。この突起片５６は、後述する第２ガイド板７１を一杯まで引き出したときの当たり止め片となっている。すなわち、対向する起立片５３，５３間の距離Ｔ２２は、第２ガイド板７１の幅Ｗ２１に略等しい距離となっている。
【００６４】
さらに、第１ガイド板５１の内面上部には、主に図７Ａに示すように、各起立片５３，５３からさらに所定距離Ｔ２３だけ内側の位置に、後述する第２ガイド板７１を第１ガイド板５１から一杯まで引き出したとき、当該第２ガイド板７１を係止するための上側係止用凹部５８，５８が一定距離Ｔ２４を存して幅方向に一対設けられている。また、第１ガイド板５１の内面下部には、起立片５３，５３から同じく所定距離Ｔ２３だけ内側の位置に、後述する第２ガイド板７１を第１ガイド板５１に対して一杯まで押し込んだとき、当該第２ガイド板７１を係止するための下側係止用凹部５９，５９が同じく一定距離Ｔ２４を存して幅方向に一対設けられている。
【００６５】
なお、この一定距離Ｔ２４は、第１ガイド板５１の上端中央部に形成された半円弧形状の切欠き部６５を考慮して設定する必要がある。すなわち、一定距離Ｔ２４は、この切欠き部６５の幅より若干広い幅に設定する必要がある。因みに、この切欠き部６５は、第２ガイド板７１を引き出すときに指を掛けやすくするために設けられている。
【００６６】
さらに、第１ガイド板５１の内面下部には、前記一対の下側係止用凹部５９，５９の外側に、第１ガイド板５１を開閉蓋３０の内面に係止固定するためのガイド板係止用突起部６３が一定距離Ｔ２５を存して幅方向に一対設けられている。
【００６７】
このガイド板係止用突起部６３は、第１ガイド板５１を開閉蓋３０から一杯まで引き出したとき、図１３Ｃの拡大図に示すように、開閉蓋３０に設けられた係止用凸部３６を乗り越えることによって第１ガイド板５１を引き出した位置に係止固定し、第１ガイド板５１を開閉蓋３０に対して一杯まで押し込んだとき、図１２Ｂの拡大図に示すように、開閉蓋３０に設けられた係止用凹部３５に嵌まり込むことによって第１ガイド板５１を押し込んだ位置に係止固定するようになっている。すなわち、開閉蓋３０の内面下部に形成された一対の係止用凹部３５，３５の間隔、及び、開閉蓋３０の内面上部に形成された一対の係止用凸部３６，３６の間隔である一定距離Ｔ１４と、第１ガイド板５１の内面下部に設けられた一対のガイド板係止用突起部６３，６３の間隔である一定距離Ｔ２５とは同じ距離となっている。
【００６８】
（３）第２ガイド板７１の説明
主に図６Ａ及び図７Ａに示すように、第２ガイド板７１は、略方形状の板状部材であって、左右両側縁部には、上下方向Ｙに沿って延設されたガイドレール部７２，７２がそれぞれ形成されている。このガイドレール部７２は、図１１Ｂの拡大図に示すように、第１ガイド板５１の左右両側に配置された起立片５３と第２保持片５５とで形成される鉤型形状のスライド溝部５７に挿通される形で、このスライド溝部５７内を上下方向にスライド移動可能に設けられている。
【００６９】
また、ガイドレール部７２の裏面側下部には、図７Ａ及び図７Ｂの拡大図に示すように、上方に向かって楔型に広がった形状の第２当接片７３が形成されている。この第２当接片７３は、図１０に示すように、第２ガイド板７１を第１ガイド板５１から一杯まで引き出したとき、第１ガイド板５１の第２保持片５５に形成された突起片５６にこの第２当接片７３が当接することで、第２ガイド板７１が第１ガイド板５１から抜けないように規制する規制部材となっている。
【００７０】
また、第２ガイド板７１の正面側（図６Ａ参照）の下端縁７４から所定距離Ｔ３１だけ上方に離れた位置であって、第２ガイド板７１の両端部からそれぞれ所定距離Ｔ３２だけ内側の位置に、係止用突起部７５Ａ，７５Ａが一定距離Ｔ３３を存して横方向に一対設けられている。この係止用突起部７５Ａは、第２ガイド板７１を第１ガイド板５１から一杯まで引き出したとき、第１ガイド板５１の上側係止用凹部５８と係合し、第２ガイド板７１を第１ガイド板５１に対して一杯まで押し込んだとき、第１ガイド板５１の下側係止用凹部５９に係合するようになっている。すなわち、第１ガイド板５１に形成された一対の上側係止用凹部５８，５８の間隔、及び、第１ガイド板５１に形成された一対の下側係止用凹部５９，５９の間隔である一定距離Ｔ２４と、第２ガイド板７１に形成された一対の係止用突起部７５Ａ，７５Ａの間隔である一定距離Ｔ３３とは同じ距離となっている。
【００７１】
上記構成において、第１ガイド板５１と第２ガイド板７１とは、図１１Ａ及び図１１Ｂに示すように、第２ガイド板７１のガイドレール部７２が第１ガイド板５１のスライド溝部５７に挿通されているため、このスライド溝部５７で左右両端部が支持されたほぼ密着状態で配置されている。そのため、第２ガイド板７１の係止用突起部７５Ａが第１ガイド板５１の裏面に当接しているとき（すなわち、上側係止用凹部５８や下側係止用凹部５９と係合していないとき）は、この両スライド溝部５７，５７部分を両支持部ｂ１，ｂ１として第２ガイド板７１が若干撓み（弾性変形）、この若干の撓みによって、第１ガイド板５１の裏面に常に当接（若干の圧力を持って当接）された状態で接触することになる。従って、係止用突起部７５Ａと上側係止用凹部５８または下側係止用凹部５９との位置が合致すると、第２ガイド板７１の弾性復元力によって係止用突起部７５Ａが上側係止用凹部５８または下側係止用凹部５９に嵌まり込むことになる。
【００７２】
なお、第１ガイド板５１の上端中央部に形成された切欠き部６５に対応する第２ガイド板７１の上端中央部には、第２ガイド板７１を指で摘んで引き出すための摘まみ部７８が設けられている。
【００７３】
以上が、開閉蓋３０、第１ガイド板５１及び第２ガイド板７１の具体的形状の説明であるが、ここで、第１ガイド板５１及び第２ガイド板７１のうち本発明に関連する個所の寸法関係について具体的に説明しておく。本実施形態では、図７Ａに示すように、第２ガイド板７１の幅Ｗ２１（すなわち、起立辺５３，５３間の距離Ｔ２２）に対して、第１ガイド板５１の起立片５３から上側係止用凹部５８または下側係止用凹部５９までの距離Ｔ２３（すなわち、第２ガイド板７１の端部から係止用突起部７５Ａまでの距離Ｔ３２）が、３×Ｔ２３（Ｔ３２）≒Ｔ２２（Ｗ２１）の関係を満たすように設定する。また、第１ガイド板５１と第２ガイド板７１とが重なり合う部分の高さ方向の幅Ｗ１に対し、第２ガイド板７１の下端縁７４から係止用突起部７５Ａまでの距離Ｔ３１が、上記したように、Ｔ３１≒Ｗ１／２の関係を満たし、かつ、係止用突起部７５Ａの突出長さ（Ｔ３４）を、Ｔ３４＜Ｗ１の関係を満たすように設定する。この寸法関係を満たすように、係止用突起部７５Ａ、上側係止用凹部５８、及び下側係止用凹部５９の配置及び形状を設定することで、後述する第１ガイド板５１に対する第２ガイド板７１のスライド動作、ロック動作及びロック解除動作時に、第２ガイド板７１の傾斜や撓みによる係止用突起部７５Ａと上側係止用凹部５８との係合／解除をスムーズに行うことが可能となる。
【００７４】
＜第１ガイド板５１及び第２ガイド板７１のスライド動作、ロック動作及びロック解除動作の説明＞
次に、開放状態の開閉蓋３０から第１ガイド板５１及び第２ガイド板７１を引き出したときの各ガイド板５１，７１のスライド動作、ロック動作及びロック解除動作について説明する。
【００７５】
各スライド板５１，７１を開閉蓋３０から引き出す前の状態では、図８，図１２Ａ〜図１２Ｃに示すように、第１ガイド板５１の係止用凸部６３が開閉蓋３０の係止用凹部３５に嵌まり込んで係止固定された状態（図１２Ｂ参照）で、第１ガイド板５１が開閉蓋３０の内面に収納されており、第２ガイド板７１の係止用突起部７５Ａが第１ガイド板５１の下側係止用凹部５９に嵌まり込んで係止固定された状態（図１２Ｃ参照）で、第２ガイド板７１が第１ガイド板５１の背面と開閉蓋３０の内面との間に収納されている。
【００７６】
この状態から、第２ガイド板７１の摘まみ部７８を持って上方に引き出すと、第２ガイド板７１の係止用突起部７５Ａが第１ガイド板５１の下側係止用凹部５９から外れ、第１ガイド板５１の背面に当接した状態で上方にスライドしていく。そして、第２ガイド板７１を上方に一杯まで引き出すと、図１０に示すように、第２ガイド板７１の係止用突起部７５Ａが第１ガイド板５１の上側係止用凹部５８に嵌まり込んで係合されるとともに、第１ガイド板５１の突起片５６に第２ガイド板７１の第２当接片７３が当接することで、第２ガイド板７１が第１ガイド板５１から抜けないように規制される。つまり、突起片５６と第２当接片７３との当接位置を規定することで、第２ガイド板７１を第１ガイド板５１から一杯まで引き出したときの、第１ガイド板５１と第２ガイド板７１とが重なり合う部分の高さ方向（上下方向）の幅Ｗ１を決定することができる。この重なり合う部分の幅Ｗ１は、第２ガイド板７１を一杯まで引き出したとき、第２ガイド板７１を安定的に保持し得る程度の幅（若しくは、使用するユーザにとってがたつきが気にならない程度の幅）に設定されている。
【００７７】
ここで、上記したように、第２ガイド板７１の係止用突起部７５Ａは、下端縁７４から所定距離Ｔ３１だけ上方に離れた位置に設けられている。この所定距離Ｔ３１は、本実施形態では、第１ガイド板５１と第２ガイド板７１とが重なり合う部分の高さ方向（上下方向）の幅Ｗ１の１／２の距離としている。すなわち、係止用突起部７５Ａ及び上側係止用凹部５８は、第１ガイド板５１と第２ガイド板７１とが重なり合う部分の高さ方向のほぼ中央部に設けられている。ただし、係止用突起部７５Ａ及び上側係止用凹部５８の高さ方向の形成位置（所定距離Ｔ３１）は、必ずしも重なり合う部分の高さ方向の幅Ｗ１の正確に１／２である必要はなく、若干上方であったり、若干下方であってもよい。要するに、係止用突起部７５Ａの下部に第２ガイド板７１の延長部分が一定長さあればよい。
【００７８】
次に、この状態から第２ガイド板７１の摘まみ部７８を持ってさらに上方に引き出すと、今度は、第１ガイド板５１のガイド板係止用突起部６３が開閉蓋３０の係止用凹部３５から外れ、開閉蓋３０の内面に当接した状態で上方にスライドしていく。そして、第１ガイド板５１を上方に一杯まで引き出すと、図１３Ａ及び図１３Ｃの拡大図に示すように、第１ガイド板５１のガイド板係止用突起部６３が開閉蓋３０の係止用凸部３６を乗り越えることによって、第１ガイド板５１が引き出された位置に係止固定される。これにより、引き出された各ガイド板５１，７１が、図９及び図１３Ａに示す状態に保持される。
【００７９】
なお、上記説明では、第２ガイド板７１の摘まみ部７８を持って両ガイド板５１，７１を開閉蓋３０から引き出すとき、まず第２ガイド板７１が引き出されてから、次に第１ガイド板５１が引き出されるように説明しているが、これは説明の便宜上そのような動作順で説明しただけであって、これらの引き出し動作は必ずしも個別に行われるものではない。すなわち、引き出すときの力加減や引き出す方向、及び引き出すタイミング等によって、第１ガイド板５１と第２ガイド板７１とが同時に若しくは相互に連動しながら引き出される場合もあれば、第１ガイド板５１が先に引き出されてその後に第２ガイド板７１が引き出される場合もある。
【００８０】
このように第１ガイド板５１と第２ガイド板７１とが一杯まで引き出された状態から、これらガイド板５１，７１を開閉蓋３０内に収納するには、第２ガイド板７１の上端部を手で押さえて下方に押し下げればよい。これにより、第１ガイド板５１及び第２ガイド板７１が若干撓んだ状態となってそれぞれの係合が解除され、各ガイド板５１，７１が図８に示す状態に収納されることになる。
【００８１】
ここで、第１ガイド板５１と第２ガイド板７１とが一杯まで引き出された状態から、第２ガイド板７１の上端部を下方に押し下げるときの動作について、図１４ないし図１６を参照して具体的に説明する。ただし、図１４（ａ）〜（ｅ）は、押し下げる際に第２ガイド板７１を若干手前側に引くようにして押し下げた場合の動作過程を示す説明図、図１５（ａ）〜（ｅ）は、押し下げる際に第２ガイド板７１を若干奥側に押すようにして押し下げた場合の動作の過程を示す説明図、図１６は、押し下げ時に第２ガイド板７１が撓む様子を示す断面図である。
【００８２】
一杯まで引き出した第２ガイド板（図１４（ａ））を第１ガイド板に収納するために下方に押し下げる際、図１４（ｂ）に矢符Ｐ１で示すように、第２ガイド板７１を若干手前側に引くようにして下方に押した場合には、第１ガイド板５１の上端縁６５が支点ａ１となって、第２ガイド板７１が手前側（図中左側）に若干傾斜することになる。このとき、図１６に示すように、第１ガイド板５１の左右両側のスライド溝部５７，５７にそれぞれ保持された第２ガイド板７１の左右両側のガイドレール部７２，７２の部分が支持部ｂ１となって、第２ガイド板７１が若干撓んだ状態（湾曲した状態）となる。その結果、このような第２ガイド板７１の傾斜（図１４（ｂ））と撓み（図１６）との相互作用により、支点ａ１より下側の第２ガイド板７１は、第１ガイド板５１の裏面から若干離れるように移動し、図１４（ｃ）に示すように、支点ａ１からＷ１／２の距離だけ下にある第２ガイド板７１の係止用突起部７５Ａが第１ガイド板５１の上側係止用凹部５８から抜け出て係合が解除されることになる。これにより、引き続いて第２ガイド板７１を押し下げると、第２ガイド板７１は、図１４（ｄ）に示すように、係止用突起部７５Ａが第１ガイド板５１の裏面に当接した状態でスムーズに下方にスライド移動し、最終的には、図１４（ｅ）に示すように、第２ガイド板７１の係止用突起部７５Ａが第１ガイド板５１の下側係止用凹部５９に嵌まり込んで係止固定されることになる。
【００８３】
一方、一杯まで引き出した第２ガイド板（図１５（ａ））を第１ガイド板に収納するために下方に押し下げる際、図１５（ｂ）に矢符Ｐ２で示すように、第２ガイド板７１を若干奥側に押すようにして下方に押した場合には、第２ガイド板７１の下端縁７４が支点ａ２となって、第２ガイド板７１が奥側（図中右側）に若干傾斜することになる。このときも、図１６に示すように、第１ガイド板５１の左右両側のスライド溝部５７，５７にそれぞれ保持された第２ガイド板７１の左右両側のガイドレール部７２，７２の部分が支持部ｂ１となって、第２ガイド板７１が若干撓んだ状態（湾曲した状態）となる。その結果、このような第２ガイド板７１の傾斜（図１５（ｂ））と撓み（図１６）との相互作用により、支点ａ２より上側の第２ガイド板７１は、第１ガイド板５１の裏面から若干離れるように移動し、図１５（ｃ）に示すように、支点ａ２から所定距離Ｔ３１だけ上にある第２ガイド板７１の係止用突起部７５Ａが第１ガイド板５１の上側係止用凹部５８から抜け出て係合が解除されることになる。これにより、引き続いて第２ガイド板７１を押し下げると、第２ガイド板７１は、図１５（ｄ）に示すように、係止用突起部７５Ａが第１ガイド板５１の裏面に当接した状態でスムーズに下方にスライド移動し、最終的には、図１５（ｅ）に示すように、第２ガイド板７１の係止用突起部７５Ａが第１ガイド板５１の下側係止用凹部５９に嵌まり込んで係止固定されることになる。
【００８４】
すなわち、本発明の電子機器によれば、一杯まで引き出した第２ガイド板を第１ガイド板に収納するために下方に押し下げる際、第２ガイド板を手前側及び奥側のどちらの方向に押すようにして下方に押し下げた場合でも、第２ガイド板をスムーズに押し下げることができるものである。
【００８５】
図１７は、係止用突起部７５Ａの他の実施例を示している。上記実施形態では、係止用突起部７５Ａは、例えば図６Ａや動作説明である図１３Ｂ等に示すように、横長の直方体形状となっている。そのため、係止用突起部７５Ａを上側係止用凹部５８（下側係止用凹部５９においても同じ）から抜くとき、係止用突起部７５Ａの先端側の各辺の角部が上側係止用凹部５８の開口部の角縁部に当たって係合が解除しにくい場合がある。そこで、本実施形態では、図１７に示すように、係止用突起部７５Ａの先端側の各辺及び各辺が交わる各角部の全てをＣ面またはＲ面カットした傾斜面７５Ａ１に形成してもよい。これにより、係止用突起部７５Ａが上側係止用凹部５８から抜ける直前まで来ると、各角部に形成した傾斜面７５Ａ１によって上側係止用凹部５８の開口部の角縁部を滑るようにすり抜けるため、係合解除がよりスムーズに行われ、その結果、第２ガイド板７１の押し下げもスムーズに行われることになる。
【００８６】
なお、上記実施形態では、第１ガイド板５１に形成する係止部を上側係止用凹部５８及び下側係止用凹部５９とし、第２ガイド板７１に形成する被係止部を係止用突起部７５Ａとしているが、この凹部と凸部とは反対であってもよい。すなわち、第１ガイド板５１に形成する係止部として、上記上側係止用凹部５８及び下側係止用凹部５９の位置に、係止用突起部７５Ａと同じ形状の上側係止用突起部及び下側係止用突起部を形成し、第２ガイド板７１に形成する被係止部として、上記係止用突起部７５Ａの位置に、上側係止用凹部５８または下側係止用凹部５９と同じ形状の係止用凹部を形成してもよい。このように、凹部と凸部とを反対に形成した場合でも、上記と同様、第２ガイド板７１を押し下げた場合にスムーズな押し下げを実現することができる。
【００８７】
また、上記実施形態では、第１ガイド板５１と第２ガイド板７１との間のスライド機構及びロック機構について説明しているが、このようなスライド機構及びロック機構を開閉蓋３０と第１ガイド板５１との間のスライド機構及びロック機構にも適用することが可能である。
【００８８】
また、上記実施形態では、ガイド板が２枚の場合について説明しているが、３枚以上のガイド板を備えている場合においても、前後に隣り合う２枚のガイド板の間で本発明のスライド機構及びロック機構を適用することが可能である。
【００８９】
さらに、上記実施形態では、本発明の電子装置をファクシミリ装置に適用した場合について説明しているが、このようなファクシミリ装置に限定されるものではなく、例えば複写機やスキャナ等、用紙を縦置き（若しくは斜め置き）に配置して使用するような給紙トレイを有する全ての電子装置に適用可能なものである。
【産業上の利用可能性】
【００９０】
本発明は、ファクシミリ装置や複写機、スキャナ等の電子装置に限らず、複数枚のガイド板を引き出し及び引き込み可能に設けられた給紙トレイを有する全ての装置において利用することが可能である。
【符号の説明】
【００９１】
１０  装置筐体
１２  開口部
２０  操作パネル
２０ａ  表示部
２０ｂ  操作ボタン部
３０  開閉蓋
３１  ガイド溝部
３２  支持片
３３  レール保持片
３４  突起片
３５  係止用凹部
３６  係止用凸部
３９  回動軸
５１  第１ガイド板
５２  ガイドレール片
５３  起立片
５４  第１保持片
５５  第２保持片
５６  突起片
５８  上側係止用凹部
５９  下側係止用凹部
６０  切欠き部
６１  第１当接片
６３  ガイド板係止用突起部
６５  切欠き部
７１  第２ガイド板
７２  ガイドレール部
７３  第２当接片
７５Ａ  係止用突起部
１００  画像読取部
１０１  原稿搬送路
１０２  原稿挿入口
１０３  原稿排出口
１０４  原稿搬送ローラ
１０５  分離ゴム板
１０６  イメージセンサ
１０７  背面ローラ
１１０  画像形成部
１１１  用紙搬送路
１１２  用紙挿入口
１１３  用紙排出口
１１４  分離パッド
１１５  給紙ローラ
１１６  プラテンローラ
１１７  サーマルヘッド
１１８  インクフィルム
１２１  供給ローラ
１２２  巻き取りローラ
【図１】
2011011860.tif 000003
【図２】
2011011860.tif 000004
【図３】
2011011860.tif 000005
【図４】
2011011860.tif 000006
【図５】
2011011860.tif 000007
【図６Ａ】
2011011860.tif 000008
【図６Ｂ】
2011011860.tif 000009
【図７Ａ】
2011011860.tif 000010
【図７Ｂ】
2011011860.tif 000011
【図８】
2011011860.tif 000012
【図９】
2011011860.tif 000013
【図１０】
2011011860.tif 000014
【図１１Ａ】
2011011860.tif 000015
【図１１Ｂ】
2011011860.tif 000016
【図１２Ａ】
2011011860.tif 000017
【図１２Ｂ】
2011011860.tif 000018
【図１２Ｃ】
2011011860.tif 000019
【図１３Ａ】
2011011860.tif 000020
【図１３Ｂ】
2011011860.tif 000021
【図１３Ｃ】
2011011860.tif 000022
【図１４】
2011011860.tif 000023
【図１５】
2011011860.tif 000024
【図１６】
2011011860.tif 000025
【図１７】
2011011860.tif 000026
【図１８Ａ】
2011011860.tif 000027
【図１８Ｂ】
2011011860.tif 000028
【図１９】
2011011860.tif 000029
【図２０】
2011011860.tif 000030
【図２１】
2011011860.tif 000031
【図２２】
2011011860.tif 000032
【図２３】
2011011860.tif 000033
【図２４】
2011011860.tif 000034
【図２５】
2011011860.tif 000035
【図２６】
2011011860.tif 000036
【図２７】
2011011860.tif 000037